(57)【要約】【課題】栽培容器内を流れる水の水質をより均一化させることのできる水耕栽培装置および水耕栽培方法を得る。【解決手段】水耕栽培装置１０は、栽培容器２０内に水を流入する流入部５１と、栽培容器２０内から水を流出する流出部５２と、栽培容器２０内の水の水流方向を制御する水流方向制御部１００と、を備えている。また、流入部５１は開閉可能な流入ライン５１ａ，５１ｂ，５１ｃ，５１ｄを複数備え、流出部５２は開閉可能な流出ライン５２ａ，５２ｂ，５２ｃ，５２ｄを複数備えている。そして、水流方向制御部１００が、複数の流入ライン５１ａ，５１ｂ，５１ｃ，５１ｄおよび複数の流出ライン５２ａ，５２ｂ，５２ｃ，５２ｄのうち少なくとも１つのラインの開閉を切り替え制御するようにしている。【選択図】図２
2014100081.tif 000002
【特許請求の範囲】
【請求項１】
植物の根を栽培容器内の水に浸して栽培する水耕栽培装置であって、
前記栽培容器内に水を流入する流入部と、
前記栽培容器内から水を流出する流出部と、
前記栽培容器内の水の水流方向を制御する水流方向制御部と、
を備え、
前記流入部は開閉可能な流入ラインを複数備え、前記流出部は開閉可能な流出ラインを複数備え、
前記水流方向制御部は、前記複数の流入ラインおよび前記複数の流出ラインのうち少なくとも１つのラインの開閉を切り替え制御することを特徴とする水耕栽培装置。
【請求項２】
前記流出部から導入される水を貯留する貯留部と、
前記貯留部、前記流入部、前記栽培容器および前記流出部の間で水を循環させる循環部と、
を備えることを特徴とする請求項１に記載の水耕栽培装置。
【請求項３】
前記水流方向制御部は、前記栽培容器の傾きを調整する傾き調整手段を有することを特徴とする請求項１または請求項２に記載の水耕栽培装置。
【請求項４】
植物の根を栽培容器の水に浸して栽培する水耕栽培方法であって、
開閉可能に形成された複数の流入ラインのうち少なくとも１つの流入ラインから前記栽培容器内に水を流入させる流入工程と、
前記栽培容器内から開閉可能に形成された複数の流出ラインのうち少なくとも１つの流出ラインに水を流出させる流出工程と、
前記複数の流入ラインおよび前記複数の流出ラインのうち少なくとも１つのラインの開閉を切り替えて、栽培容器内の水を異なる方向に移動させる水流方向変更工程と、
を有することを特徴とする水耕栽培方法。
【発明の詳細な説明】
【技術分野】
【０００１】
本発明は、水耕栽培装置および水耕栽培方法に関する。
【背景技術】
【０００２】
従来、水耕栽培装置として、トレー状の栽培容器の一方側から水を流入させて他方側から水を流出させることで栽培容器内に水を流し、載置した植物の根を水に浸して栽培を行うようにしたものが知られている（例えば、特許文献１参照）。
【先行技術文献】
【特許文献】
【０００３】
【特許文献１】特開２００９−０３９００１号公報
【発明の概要】
【発明が解決しようとする課題】
【０００４】
しかしながら、上記従来の技術では、栽培容器の一方側から水を流入させて他方側から水を流出させるようにしているため、栽培容器内の上流側と下流側とで水質が不均一となってしまうおそれがある。
【０００５】
そこで、本発明は、栽培容器内を流れる水の水質をより均一化させることのできる水耕栽培装置および水耕栽培方法を得ることを目的とする。
【課題を解決するための手段】
【０００６】
本発明の第１の特徴は、植物の根を栽培容器内の水に浸して栽培する水耕栽培装置であって、前記栽培容器内に水を流入する流入部と、前記栽培容器内から水を流出する流出部と、前記栽培容器内の水の水流方向を制御する水流方向制御部と、を備え、前記流入部は開閉可能な流入ラインを複数備え、前記流出部は開閉可能な流出ラインを複数備え、前記水流方向制御部は、前記複数の流入ラインおよび前記複数の流出ラインのうち少なくとも１つのラインの開閉を切り替え制御することを要旨とする。
【０００７】
本発明の第２の特徴は、前記流出部から導入される水を貯留する貯留部と、前記貯留部、前記流入部、前記栽培容器および前記流出部の間で水を循環させる循環部と、を備えることを要旨とする。
【０００８】
本発明の第３の特徴は、前記水流方向制御部は、前記栽培容器の傾きを調整する傾き調整手段を有することを要旨とする。
【０００９】
本発明の第４の特徴は、植物の根を栽培容器の水に浸して栽培する水耕栽培方法であって、開閉可能に形成された複数の流入ラインのうち少なくとも１つの流入ラインから前記栽培容器内に水を流入させる流入工程と、前記栽培容器内から開閉可能に形成された複数の流出ラインのうち少なくとも１つの流出ラインに水を流出させる流出工程と、前記複数の流入ラインおよび前記複数の流出ラインのうち少なくとも１つのラインの開閉を切り替えて、栽培容器内の水を異なる方向に移動させる水流方向変更工程と、を有することを要旨とする。
【発明の効果】
【００１０】
本発明によれば、複数の流入ラインおよび複数の流出ラインのうち少なくとも１つのラインの開閉を切り替えるようにしている。このように、複数の流入ラインおよび複数の流出ラインのうち少なくとも１つのラインの開閉を切り替えることで、栽培容器内の水を、ライン切り替え前の水流方向とは異なる方向に移動させることが可能となる。そして、栽培容器内の水を異なる方向に移動させることで、栽培容器内を流れる水の水質をより均一化させることができるようになる。
【図面の簡単な説明】
【００１１】
【図１】本発明の一実施形態にかかる水耕栽培装置を模式的に示す図である。
【図２】本発明の一実施形態にかかる水耕栽培装置のラインを切り替えた状態を模式的に示す図である。
【図３】本発明の一実施形態の変形例にかかる水耕栽培装置を模式的に示す図である。
【発明を実施するための形態】
【００１２】
以下、本発明の実施形態について図面を参照しつつ詳細に説明する。なお、以下では、複数（６つ）の植物を栽培容器に載置したものを例示する。また、複数の流入ラインおよび複数の流出ラインとしてそれぞれ４本のラインが形成されたものを例示する。
【００１３】
本実施形態にかかる水耕栽培装置１０は、図１に示すように、細長いトレー状の栽培容器２０を備えており、この栽培容器２０内に、栽培用の植物８０が載置されるようになっている。本実施形態では、６つの植物８０が栽培容器２０内に横一列に載置されている。
【００１４】
この水耕栽培装置１０は、栽培容器２０内に水を流し、栽培容器２０内を流れる水に植物８０の根を浸すことで、水中の養分や溶存酸素等を根から吸収できるようにして植物８０を生育するものである。
【００１５】
本実施形態では、水を流入部としての給水路５１から栽培容器２０内に流入させている。すなわち、給水路５１を介して水が栽培容器２０内に供給されるようにしている。このように、給水路５１は、栽培容器２０内に水を供給する給水部として機能するものである。
【００１６】
一方、栽培容器２０内を流れる水は、流出部としての排水路５２から栽培容器２０外に流出されるようになっている。すなわち、栽培容器２０内の水は、排水路５２を介して外部に排水されるようになっている。このように、排水路５２は、栽培容器２０内の水を外部に排水する排水部として機能するものである。
【００１７】
そして、給水路５１を介して水を栽培容器２０内に供給しつつ、排水路５２を介して水を栽培容器２０の外部に排水させることで、栽培容器２０内には、給水路５１側から排水路５２側に向かう水流が生じることとなる。
【００１８】
このように、栽培容器２０内に水流を生じさせることで、水が栽培容器２０内で滞留してしまうのが抑制され、植物の根腐れ等を抑制することができるようになる。
【００１９】
また、本実施形態では、給水路５１は、複数（４つ）の流入ライン５１ａ，５１ｂ，５１ｃ，５１ｄを備えており、それぞれの流入ライン５１ａ，５１ｂ，５１ｃ，５１ｄは、電磁弁６１によって開閉可能に形成されている。すなわち、電磁弁６１が開かれた流入ラインからは、栽培容器２０内に水を供給できるようにし、電磁弁６１が閉じられた流入ラインからは水の供給が停止されるようにしている。なお、電磁弁６１は、配線を介して図示せぬ回路部に電気的に接続されている。
【００２０】
本実施形態では、流入ライン５１ａ，５１ｂ，５１ｃ，５１ｄは、給水路５１を分岐させることで形成されている。そして、細長いトレー状の栽培容器２０の長手方向両端に流入ライン５１ａ，５１ｄが、中央部に流入ライン５１ｂ，５１ｃが形成されている。このように流入ライン５１ａ，５１ｂ，５１ｃ，５１ｄを配置することで、栽培容器２０には３つの領域が形成されることとなる。そして、各領域には、植物８０が２つずつ載置されている。
【００２１】
さらに、本実施形態では、流入ライン５１ａ，５１ｂ，５１ｃ，５１ｄは、栽培容器２０の上方に、吸水口が下を向くように配置されており、水が上方から栽培容器２０内に供給されるようになっている。
【００２２】
一方、排水路５２は、複数（４つ）の流出ライン５２ａ，５２ｂ，５２ｃ，５２ｄを備えており、それぞれの流出ライン５２ａ，５２ｂ，５２ｃ，５２ｄは、電磁弁６２によって開閉可能に形成されている。すなわち、電磁弁６２が開かれた流出ラインからは、栽培容器２０内の水が排水されるようにし、電磁弁６２が閉じられた流出ラインからは水が排水されない（排水が停止される）ようにしている。なお、電磁弁６２も、配線を介して図示せぬ回路部に電気的に接続されている。
【００２３】
本実施形態では、流出ライン５２ａ，５２ｂ，５２ｃ，５２ｄは、細長いトレー状の栽培容器２０の長手方向両端に流出ライン５２ａ，５２ｄが、中央部に流出ライン５２ｂ，５２ｃが形成されている。
【００２４】
さらに、本実施形態では、流出ライン５２ａ，５２ｂ，５２ｃ，５２ｄは、栽培容器２０の下面に接続されており、栽培容器２０内の水を下方に排水させるようになっている。
【００２５】
また、流出ライン５２ａ，５２ｂ，５２ｃ，５２ｄは、途中で排水路５２に合流している。
【００２６】
さらに、水耕栽培装置１０は、水を貯留する貯留部３０を備えており、この貯留部３０には排水路５２から水が導入されるようになっている。
【００２７】
本実施形態では、貯留部３０は、流出ライン５２ａ，５２ｂ，５２ｃ，５２ｄを合流させた排水路５２の下方に配置されており、排水路５２の水は、上方から貯留部３０に導入されるようになっている。
【００２８】
また、水耕栽培装置１０は、養分供給手段７０を備えており、この養分供給手段７０によって、植物８０の生育に必要な養分を貯留部３０内の水に供給できるようにしている。
【００２９】
本実施形態では、養分供給手段７０は、供給口が貯留部３０の上方に位置するように配置されており、開閉可能な栓７１の開閉操作によって、養分を貯留部３０内の水に供給したり、養分の供給を停止したりするようになっている。
【００３０】
さらに、本実施形態では、水耕栽培装置１０は、循環部を備えており、貯留部３０、給水路５１、栽培容器２０および排水路５２の間で水を循環させるようにしている。
【００３１】
本実施形態では、循環部は、貯留部３０と給水路５１とを接続する循環路５３と、貯留部３０内の水を給水路５１に導入させるためのポンプ４０とで構成されている。
【００３２】
かかる構成とすることで、水は、貯留部３０から循環路５３に導入され、循環路５３から給水路５１に導入され、給水路５１から栽培容器２０に供給されることとなる。そして、栽培容器２０内の水は、排水路５２を介して貯留部３０内の導入されることとなる。
【００３３】
このように、本実施形態では、水は、貯留部３０、循環路５３、給水路５１、栽培容器２０、排水路５２、貯留部３０の順に流れて循環することとなる。すなわち、水耕栽培装置１０には、閉じた循環経路５０が形成されており、この循環経路５０は、貯留部３０、循環路５３、給水路５１、栽培容器２０および排水路５２で構成されている。なお、貯留部３０は、貯留部３０内の水を適宜新しい水と交換できるような構成とするのが好ましい。
【００３４】
また、栽培容器２０および植物８０の上方には、光源部としての照明９０が設けられており、植物８０に光を照射できるようにしている。なお、照明９０としては、電球、蛍光灯、ＬＥＤ等、公知のものを用いることができる。また、照明を設けずに、太陽光を照射させるようにしてもよい。
【００３５】
次に、かかる構成の水耕栽培装置１０の作用を説明する。
【００３６】
まず、養分供給手段７０によって養分を貯留部３０内の水に供給する。こうすることで、植物の生育に適した養分や溶存酸素を混合した水、すなわち、溶液が貯留部３０内に貯留される。
【００３７】
そして、ポンプ４０を駆動して貯留部３０内の溶液を循環路５３に導入し、循環路５３から給水路５１に導入される。そして、給水路５１に導入された溶液は、４つの流入ライン５１ａ，５１ｂ，５１ｃ，５１ｄのうちの少なくとも１つの流入ラインから栽培容器２０内に供給される。
【００３８】
そして、栽培容器２０内の水は、４つの流出ライン５２ａ，５２ｂ，５２ｃ，５２ｄのうちの少なくとも１つの流出ラインを介して外部に排水される。
【００３９】
図１では、幅方向一端（図１の右端）に配置された流入ライン５１ａの電磁弁６１を開き、他の流入ラインの電磁弁６１を閉じることで、流入ライン５１ａから溶液を供給するようにしている。そして、幅方向他端（図１の左端）に配置された流出ライン５１ｄの電磁弁６２を開き、他の流出ラインの電磁弁６２を閉じることで、流出ライン５１ｄから溶液を排水するようにしている。したがって、栽培容器２０内には、図１の右から左へと流れる水流が生じることとなる。
【００４０】
そして、栽培容器２０に載置した植物８０は、図１の右から左へと流れる溶液を介して養分や溶存酸素を供給するとともに、照明９０から光が照射されることで生育できるようになっている。
【００４１】
また、流出ライン５１ｄから排水される溶液は、排水路５２から貯留部３０内に導入される。このとき、排水路５２の導入口が貯留部３０の端部に位置するように、排水路５２を配置するのが好適である。こうすれば、貯留部３０内に溶液を導入した際に、貯留部３０内の水の対流が促進されて、より均一な水質となるように養分を拡散させることができる。
【００４２】
また、排水路５２の導入口を貯留部３０内の水面よりも上方に位置するようにすることで、排水路５２から導入される溶液を空気に接触させることができ、より効率的に水中の溶存酸素量を増大させることができる。また、流入ライン５１ａ，５１ｂ，５１ｃ，５１ｄの給水口も、栽培容器８０内の水面よりも高くなるようにしており、流入ラインから栽培容器８０内に溶液を供給する際にも、同様の効果が得られるようにしている。なお、吸入口や導入口の位置を水面よりも高くする必要はなく、吸入口や導入口が水中で開口しているようにすることも可能である。
【００４３】
水耕栽培装置１０は、かかる動作を繰り返すことで、適宜養分を補充しながら溶液を循環させて、植物８０を生育できるようにしている。
【００４４】
ところで、図１に示すように、溶液を栽培容器２０の一方から他方へと流すだけでは、栽培容器２０の上流側と下流側とで水流が不均一になってしまう可能性がある。また、上流側に載置された植物８０によって、養分や溶存酸素等が吸収されることで、下流側の溶液に含まれる養分や溶存酸素量が上流側よりも少なくなってしまう可能性もある。
【００４５】
すなわち、溶液を栽培容器２０の一方から他方へと流すだけでは、上流側と下流側とで水質が不均一になってしまう可能性があった。このように、水質が不均一になってしまうと、上流側と下流側とで植物８０に供給される養分や溶存酸素等が偏在し、植物８０の生育状況に差が生じてしまい、植物８０の大きさや品質にバラツキがでてしまう可能性があった。
【００４６】
そこで、本実施形態では、水耕栽培装置１０に、栽培容器２０内の水の水流方向を制御する水流方向制御部１００を設け、栽培容器２０内の水を異なる方向に移動させることができるようにした。
【００４７】
具体的には、水流方向制御部１００が、複数の開閉可能な流入ライン５１ａ，５１ｂ，５１ｃ，５１ｄおよび複数の開閉可能な流出ライン５２ａ，５２ｂ，５２ｃ，５２ｄのうちの少なくとも１つのラインの開閉を切り替え制御するようにしている。
【００４８】
そして、水流方向制御部１００がラインの開閉を切り替え制御することで、栽培容器２０内の水を異なる方向に移動させるようにしている。
【００４９】
例えば、水流方向制御部１００が、ラインの開閉を、図１に示す状態から図２に示す状態となるように切り替えた場合、栽培容器２０内には、図２に示すように、左から右へと流れる水流が生じることとなる。
【００５０】
すなわち、水流方向制御部１００がラインの開閉を切り替えて、幅方向他端（図２の左端）に配置された流入ライン５１ｄの電磁弁６１を開き、他の流入ラインの電磁弁６１を閉じることで、流入ライン５１ｄから溶液を供給するようにする。そして、幅方向一端（図２の右端）に配置された流出ライン５１ａの電磁弁６２を開き、他の流出ラインの電磁弁６２を閉じることで、流出ライン５１ａから溶液を排水するようにする。こうすることで、栽培容器２０内には、図２の左から右へと流れる水流が生じることとなる。
【００５１】
したがって、本実施形態では、流入ライン５１ａ，５１ｂ，５１ｃ，５１ｄのそれぞれに設けられた電磁弁６１および流出ライン５２ａ，５２ｂ，５２ｃ，５２ｄのそれぞれに設けられた電磁弁６２が水流方向制御部１００に相当することとなる。
【００５２】
なお、流入ライン５１ａ，５１ｂ，５１ｃ，５１ｄおよび流出ライン５２ａ，５２ｂ，５２ｃ，５２ｄの開閉については、水流の状態や植物８０の生育状況等に応じて、いずれのラインの開閉の切り替えを行うかを決定するのが好ましい。
【００５３】
かかる構成とすることで、本実施形態では、以下の方法で植物８０の水耕栽培が行われる。
【００５４】
まず、開閉可能に形成された複数の流入ライン５１ａ，５１ｂ，５１ｃ，５１ｄのうち少なくとも１つの流入ラインから栽培容器２０内に水を流入させる（流入工程）。
【００５５】
一方、開閉可能に形成された複数の流出ライン５２ａ，５２ｂ，５２ｃ，５２ｄのうち少なくとも１つの流出ラインから、栽培容器２０内の水を流出させる（流出工程）。
【００５６】
こうして、栽培容器２０内に所定方向の水流（図１では右から左への水流）が生じることとなる。
【００５７】
そして、所定時間経過して、上流側と下流側とで水質に所定値以上の差が生じた場合等に、複数の流入ライン５１ａ，５１ｂ，５１ｃ，５１ｄおよび複数の流出ライン５２ａ，５２ｂ，５２ｃ，５２ｄのうち少なくとも１つのラインの開閉を切り替える。本実施形態では、流入ライン５１ａの電磁弁６１を開から閉へ、流入ライン５１ｄの電磁弁６１を閉から開へ切り替えるとともに、流出ライン５２ａの電磁弁６２を閉から開へ、流出ライン５２ｄの電磁弁６２を開から閉へ切り替えている。
【００５８】
こうして、栽培容器２０内の水を異なる方向（図１の方向から図２の方向）に移動させるようにする（水流方向変更工程）。
【００５９】
なお、水流方向制御部１００によるラインの切り替えは、所定時間経過後に行うようにしてもよいし、水質センサ等を用いて、適宜行うようにしてもよい。
【００６０】
以上、説明したように、本実施形態では、水流方向制御部１００が、複数の流入ライン５１ａ，５１ｂ，５１ｃ，５１ｄおよび複数の流出ライン５２ａ，５２ｂ，５２ｃ，５２ｄのうち少なくとも１つのラインの開閉を切り替えるようにしている。このように、水流方向制御部１００によってラインの開閉を切り替えることで、栽培容器２０内の水を、ライン切り替え前の水流方向とは異なる方向に移動させることが可能となる。そして、栽培容器２０内の水を異なる方向に移動させることで、栽培容器２０内を流れる水の水質をより均一化させることができるようになる。その結果、上流側と下流側とで植物８０に供給される養分や溶存酸素等が偏在してしまうのが抑制され、植物８０の大きさや品質にバラツキが生じてしまうのを抑制することがでる。
【００６１】
また、本実施形態によれば、水耕栽培装置１０は、水を貯留する貯留部３０と循環部とを備えており、水耕栽培装置１０内の水を循環させることができるようにしている。その結果、水道水などの供給原から水を導入するための装置を設ける必要がなくなり、装置の構成の簡素化を図ることができる上、装置の配置自由度を向上させることができるようになる。
【００６２】
なお、上記説明では、栽培容器２０の長手方向両端のラインのみを切り替えるようにしたものを例示したが、図３に示すように、中央部のラインを切り替えることで、栽培容器２０内の水を異なる方向に移動させるようにすることも可能である。
【００６３】
例えば、図１に示す状態からのラインの開閉の切り替えの場合、水流方向制御部１００は、流入ライン５１ａの電磁弁６１を開から閉へ、流入ライン５１ｂ，５１ｃの電磁弁６１を閉から開へ切り替えることとなる。そして、流出ライン５２ａの電磁弁６２を閉から開へと切り替えることとなる。
【００６４】
こうすることで、中央部の流入ライン５１ｂ，５１ｃから栽培容器２０内に水が供給され、両端の流出ライン５２ａ，５２ｄから水が排水されるようになり、栽培容器２０内に中央部から端部へと流れる水流が生じる。
【００６５】
なお、図３では、水流方向制御部１００が、栽培容器２０の傾きを調整する傾き調整手段１１０を有しており、傾き調整手段１１０によって栽培容器２０を右側が上となるように傾斜させている。こうすることで、流入ライン５１ｂと流入ライン５１ｃとの間の水が滞留してしまうのを抑制している。すなわち、流入ライン５１ｂと流入ライン５１ｃとの間に載置した植物８０に養分が行き渡らなくなってしまうのを抑制できるようにしている。
【００６６】
なお、栽培容器２０の傾斜方向や傾斜角度は、水流の状態や植物８０の生育状況等に応じて、より適した方向や角度となるように調整するのが好ましい。
【００６７】
なお、図１，２で例示した装置に傾き調整手段１１０を設けるようにすることも可能であるし、図３に示した切り替え制御を傾き調整手段１１０を設けずに行うことも可能である。
【００６８】
以上、本発明の好適な実施形態について説明したが、本発明は上記実施形態には限定されず、種々の変形が可能である。
【００６９】
例えば、上記実施形態では、流入ラインおよび流出ラインの両方のラインを切り替えるようにしたものを例示したが、流入ラインおよび流出ラインの一方だけを切り替えるようにしてもよい。
【００７０】
また、上記実施形態では、電磁弁を用いて流入ラインおよび流出ラインの開閉を制御するようにしたものを例示したが、例えば、手動で開閉可能な栓（蛇口）等を用いて流入ラインおよび流出ラインの開閉を制御するようにしてもよい。
【００７１】
また、上記実施形態では、流入ラインおよび流出ラインをそれぞれ４つ形成したものを例示したが、流入ラインおよび流出ラインの数は、２つ以上であればよく、それぞれのライン数が異なる数となるようにしてもよい。
【００７２】
また、上記実施形態では、細長い栽培容器を用い、植物を横一列に並べたものを例示したが、例えば、複数の植物が格子点上に位置するように平面状に並べてもよい。また、それぞれのラインの配置位置も、平面状となるようにしてもよい。すなわち、栽培容器の形状や植物の配置方法等は適宜に設定することが可能である。
【００７３】
また、上記実施形態では、流入ラインを栽培容器の上方に配置するとともに、流出ラインを栽培容器の下方に配置し、重力を利用して給排水を行うものを例示している。しかしながら、これに限らず、流入ラインおよび流出ラインを栽培容器の側部に接続する等して、栽培容器、流入ラインおよび流出ラインを平面上に配置することも可能である。
【００７４】
また、流入部や流出部、その他細部のスペック（形状、大きさ、レイアウト等）も適宜に変更可能である。
【符号の説明】
【００７５】
１０  水耕栽培装置
２０  栽培容器
３０  水貯留部
４０  ポンプ（循環部）
５１  給水路（流入部）
５１ａ  流入ライン
５１ｂ  流入ライン
５１ｃ  流入ライン
５１ｄ  流入ライン
５２  排水路（流出部）
５２ａ  流出ライン
５２ｂ  流出ライン
５２ｃ  流出ライン
５２ｄ  流出ライン
５３  循環路（循環部）
６１  電磁弁
６２  電磁弁
１００  水流方向制御部
１１０  傾き調整手段
【図１】
2014100081.tif 000003
【図２】
2014100081.tif 000004
【図３】
2014100081.tif 000005